(57)【要約】【課題】  本発明は使用している携帯電話機本体に付加的に取付けて、予備電源として使用することができるとともに、懐中電灯、カメラ使用時の照明等にも使用することができる携帯電話機および携帯電話機用懐中電灯を得るにある。【解決手段】  充電コネクターが設けられた携帯電話機本体と、この携帯電話機本体の充電コネクターに差し込み固定することができる、該携帯電話機本体の補助電源となるバッテリーが着脱可能に収納されたバッテリーケース、このバッテリーケースに取付けられた該バッテリーケースに収納されたバッテリーにスイッチを介して接続されたライトとからなる懐中電灯とで携帯電話機を構成している。【選択図】  図１
2005236933.tif 000002
【特許請求の範囲】
【請求項１】
充電コネクターが設けられた携帯電話機本体と、この携帯電話機本体の充電コネクターに差し込み固定することができる、該携帯電話機本体の補助電源となるバッテリーが着脱可能に収納されたバッテリーケース、このバッテリーケースに取付けられた該バッテリーケースに収納されたバッテリーにスイッチを介して接続されたライトとからなる懐中電灯とを備えることを特徴とする携帯電話機。
【請求項２】
充電コネクターが設けられた携帯電話機本体と、この携帯電話機本体の充電コネクターに差し込み固定することができる差し込み端子、この差し込み端子に導通され、前記携帯電話機本体の一方の側面部位で回転可能な、該携帯電話機本体の補助電源となるバッテリーが着脱可能に収納されたバッテリーケース、このバッテリーケースに取付けられた該バッテリーケースに収納されたバッテリーにスイッチを介して接続されたライトとからなる懐中電灯とを備えることを特徴とする携帯電話機。
【請求項３】
充電コネクターが設けられた携帯電話機本体と、この携帯電話機本体の充電コネクターに差し込み固定することができる差し込み端子、この差し込み端子に導通され、前記携帯電話機本体の一方の側面部位で回転可能な、該携帯電話機本体の補助電源となるバッテリーが着脱可能に収納されたバッテリーケース、このバッテリーケースに取付けられた該バッテリーケースに収納されたバッテリーにスイッチを介して接続されたライト、前記差し込み端子に前記携帯電話機本体の他方の側面部位で回転するように取付けられたホイッスルとからなる懐中電灯とを備えることを特徴とする携帯電話機。
【請求項４】
携帯電話機本体の充電コネクターに差し込み固定することができる差し込み端子と、この差し込み端子に導通され、前記携帯電話機本体の一方の側面部位で回転可能な、該携帯電話機本体の補助電源となるバッテリーが着脱可能に収納されたバッテリーケースと、このバッテリーケースに取付けられた該バッテリーケースに収納されたバッテリーにスイッチを介して接続されたライトとを備えることを特徴とする携帯電話機用懐中電灯。
【請求項５】
携帯電話機本体の充電コネクターに差し込み固定することができる差し込み端子と、この差し込み端子に導通され、前記携帯電話機本体の一方の側面部位で回転可能な、該携帯電話機本体の補助電源となるバッテリーが着脱可能に収納されたバッテリーケースと、このバッテリーケースに取付けられた該バッテリーケースに収納されたバッテリーにスイッチを介して接続されたライトと、前記差し込み端子に前記携帯電話機本体の他方の側面部位で回転するように取付けられたホイッスルとを備えることを特徴とする携帯電話機用懐中電灯。
【発明の詳細な説明】
【技術分野】
【０００１】  本発明は多目的に使用することができる携帯電話機および携帯電話機用懐中電灯に関する。
【背景技術】
【０００２】  従来の携帯電話機は電話機としての機能にカメラとしての機能を備えたものが市販されている。
しかしながら、このようなカメラ付携帯電話機は、携帯電話機本体内に組み付けられたものであるので、使用者が好みに応じて携帯電話機に他の機能を付加的に取付けて実用性を向上させて、楽しむことができないという欠点があった。
【特許文献１】
【発明の開示】
【発明が解決しようとする課題】
【０００３】  本発明は以上のような従来の欠点に鑑み、使用している携帯電話機本体に付加的に取付けて、予備電源として使用することができるとともに、懐中電灯、カメラ使用時の照明等にも使用することができる携帯電話機および携帯電話機用懐中電灯を提供することを目的としている。
また、本発明の他の目的は災害時等の非常時に役立つように予備電源、懐中電灯、ホイッスル等として使用することができる携帯電話機および携帯電話機用懐中電灯を提供することを目的としている。【０００４】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】  上記目的を達成するために、本発明は充電コネクターが設けられた携帯電話機本体と、この携帯電話機本体の充電コネクターに差し込み固定することができる、該携帯電話機本体の補助電源となるバッテリーが着脱可能に収納されたバッテリーケース、このバッテリーケースに取付けられた該バッテリーケースに収納されたバッテリーにスイッチを介して接続されたライトとからなる懐中電灯とで携帯電話機を構成している。【０００６】  また、本発明は携帯電話機本体の充電コネクターに差し込み固定することができる差し込み端子と、この差し込み端子に導通され、前記携帯電話機本体の一方の側面部位で回転可能な、該携帯電話機本体の補助電源となるバッテリーが着脱可能に収納されたバッテリーケースと、このバッテリーケースに取付けられた該バッテリーケースに収納されたバッテリーにスイッチを介して接続されたライトとで携帯電話機用懐中電灯を構成している。
【発明の効果】
【０００７】  以上の説明から明らかなように、本発明にあっては次に列挙する効果が得られる。【０００８】（１）携帯電話機本体の充電コネクターに差し込み固定することができる、該携帯電話機本体の補助電源となるバッテリーが着脱可能に収納されたバッテリーケース、このバッテリーケースに収納されたバッテリーにスイッチを介して接続されたライトとからなる懐中電灯とを備えているので、携帯電話機本体の補助電源およびライト点灯用の電源としてバッテリーを用いることができる。
したがって、携帯電話機に補助電源の機能と、懐中電灯としての機能が付加され、効果的に使用することができる。【０００９】（２）前記（１）によって、携帯電話機本体の充電コネクターに差し込み固定するだけで取付けることができる。
したがって、取付けを誰でもが容易に短時間に行なうことができる。【００１０】（３）前記（１）によって、構造が簡単で、容易に製造することができる。【００１１】（４）請求項２も前記（１）〜（３）と同様な効果が得られるとともに、バッテリーケースが携帯電話機本体の一方の側面部位で回転可能であるので、懐中電灯としての使用に際して、使用しやすい位置にして使用することができ、かつ携帯電話機本体の一方の側面部位に位置するため、必要以上に大きくなることなく、美観を損なうことなく使用することができる。【００１２】（５）請求項３も前記（１）〜（４）と同様な効果が得られるとともに、懐中電灯とホイッスルによって、地震等の非常時に閉じ込められた場合等に効率よく外部に知らせることができる。
【発明を実施するための最良の形態】
【００１３】  以下、図面に示す本発明を実施するための最良の形態より、本発明を詳細に説明する。【００１４】  図１ないし図１０に示す本発明を実施するための最良の第１の形態において、１は本発明の携帯電話機で、この携帯電話機１は市販されているカメラ付携帯電話機本体２と、この携帯電話機本体２の底面ほぼ中央部に設けられた充電コネクター３に差し込み固定することができる携帯電話機用懐中電灯４とからなり、該携帯電話機用懐中電灯４は前記充電コネクター３に差し込み固定することができる差し込み端子５と、この差し込み端子５に導通され、前記携帯電話機本体２の一方の側面部位で回転可能な、該携帯電話機本体２の補助電源となるバッテリー６が着脱可能に収納されたバッテリーケース７、このバッテリーケース７に収納されたバッテリー６にスイッチ８を介して接続されたライト９とからなる懐中電灯本体１０と、前記携帯電話機本体２の他方の側面部位で回転できるように前記差し込み端子５の端部に取付けられた、香水を入れたアトマイザー１１、このアトマイザー１１に着脱可能に取付けられたホイッスル１２とで構成されている。【００１５】  上記構成の携帯電話機１は、市販されているカメラ付携帯電話機本体２の充電コネクター３に携帯電話機用懐中電灯４の差し込み端子５を差し込み固定することにより、携帯電話機本体２のバッテリーが消耗した場合には、携帯電話機用懐中電灯４のバッテリー６が補助電源となり、携帯電話機本体２を使用することができる。
また、携帯電話機本体２のカメラを使用する場合には、図９に示すように被写体を携帯電話機用懐中電灯４のライト９で照明することにより、撮影の照明として使用することができる。当然、懐中電灯としての使用もできる。この時、使用しやすいようにバッテリーケース７を回動させて使用する。【００１６】  さらに、香水を使用する場合には、キャップ兼用のホイッスル１２を外すことにより、使用することができる。
ホイッスル１２は非常時、例えば危険な場合や、地震等で閉じ込められた場合に使用する。
［発明を実施するための異なる形態］【００１７】  次に、図１１ないし図２３に示す本発明を実施するための異なる形態につき説明する。
なお、これらの本発明を実施するための異なる形態の説明に当って、前記本発明を実施するための最良の第１の形態と同一構成部分には同一符号を付して重複する説明を省略する。【００１８】  図１１ないし図１４に示す本発明を実施するための第２の形態において、前記本発明を実施するための最良の第１の形態と主に異なる点は、バッテリーケース７のバッテリー６と接続されるバッテリー１３を着脱可能に収納することができるバッテリー収納室１４を設けた差し込み端子５Ａを用いた点で、このように構成された携帯電話機用懐中電灯４Ａを用いた携帯電話機１Ａにしても、前記本発明を実施するための最良の第１の形態と同様な作用効果が得られる。【００１９】  図１５ないし図１７に示す本発明を実施するための第３の形態において、前記本発明を実施するための最良の第１の形態と主に異なる点は、キャップ１５で閉じることができるアトマイザー１１Ａを使用した携帯電話機用懐中電灯４Ｂを用いた点で、このように構成された携帯電話機用懐中電灯４Ｂを用いた携帯電話機１Ｂにしても、前記本発明を実施するための最良の第１の形態と同様な作用効果が得られる。【００２０】  図１８ないし図２０に示す本発明を実施するための第４の形態において、前記本発明を実施するための最良の第１の形態と主に異なる点は、ホイッスル１２を差し込み端子５の端部に回転可能に取付けた点で、このように構成された携帯電話機用懐中電灯４Ｃを用いた携帯電話機１Ｃにしても、前記本発明を実施するための最良の第１の形態と同様な作用効果が得られる。【００２１】  図２１ないし図２３に示す本発明を実施するための第５の形態において、前記本発明を実施するための第４の形態と主に異なる点は、ホイッスルのない携帯電話機用懐中電灯４Ｄを用いた点で、このように構成された携帯電話機用懐中電灯４Ｄを用いた携帯電話機１Ｄにしても、前記本発明を実施するための第４の形態と同様な作用効果が得られる。【００２２】  なお、前記本発明を実施するための各形態ではカメラ付携帯電話機本体を用いるものについて説明したが、本発明はこれに限らず、カメラの付いていない携帯電話機本体を用いてもよい。
【産業上の利用可能性】
【００２３】  本発明は携帯電話機および携帯電話機用懐中電灯を製造する産業で利用される。
【図面の簡単な説明】
【００２４】
【図１】本発明を実施するための最良の第１の形態の正面図。
【図２】本発明を実施するための最良の第１の形態の側面図。
【図３】携帯電話機用懐中電灯の正面図。
【図４】携帯電話機用懐中電灯の平面図。
【図５】携帯電話機用懐中電灯の底面図。
【図６】携帯電話機用懐中電灯の左側面図。
【図７】携帯電話機用懐中電灯の概略回路図。
【図８】携帯電話機用懐中電灯の回動状態の説明図。
【図９】カメラ撮影時の照明状態の説明図。
【図１０】携帯電話機用懐中電灯の機能説明図。
【図１１】本発明を実施するための第２の形態の正面図。
【図１２】携帯電話機用懐中電灯の概略回路図。
【図１３】携帯電話機用懐中電灯の正面図。
【図１４】携帯電話機用懐中電灯の左側面図。
【図１５】本発明を実施するための第３の形態の正面図。
【図１６】携帯電話機用懐中電灯の正面図。
【図１７】携帯電話機用懐中電灯の左側面図。
【図１８】本発明を実施するための第４の形態の正面図。
【図１９】携帯電話機用懐中電灯の正面図。
【図２０】携帯電話機用懐中電灯の左側面図。
【図２１】本発明を実施するための第５の形態の正面図。
【図２２】携帯電話機用懐中電灯の正面図。
【図２３】携帯電話機用懐中電灯の左側面図。
【符号の説明】
【００２５】１、１Ａ、１Ｂ、１Ｃ、１Ｄ：携帯電話機、
２：カメラ付携帯電話機本体、  ３：充電コネクター、
４、４Ａ、４Ｂ、４Ｃ、４Ｄ：携帯電話機用懐中電灯、
５、５Ａ：差し込み端子、      ６：バッテリー、
７：バッテリーケース、        ８：スイッチ、
９：ライト、                  １０：懐中電灯本体、
１１、１１Ａ：アトマイザー、  １２：ホイッスル、
１３：バッテリー、            １４：バッテリー収納室、
１５：キャップ。
【図１】
2005236933.tif 000003
【図２】
2005236933.tif 000004
【図３】
2005236933.tif 000005
【図４】
2005236933.tif 000006
【図５】
2005236933.tif 000007
【図６】
2005236933.tif 000008
【図７】
2005236933.tif 000009
【図８】
2005236933.tif 000010
【図９】
2005236933.tif 000011
【図１０】
2005236933.tif 000012
【図１１】
2005236933.tif 000013
【図１２】
2005236933.tif 000014
【図１３】
2005236933.tif 000015
【図１４】
2005236933.tif 000016
【図１５】
2005236933.tif 000017
【図１６】
2005236933.tif 000018
【図１７】
2005236933.tif 000019
【図１８】
2005236933.tif 000020
【図１９】
2005236933.tif 000021
【図２０】
2005236933.tif 000022
【図２１】
2005236933.tif 000023
【図２２】
2005236933.tif 000024
【図２３】
2005236933.tif 000025